(57)【要約】【課題】  遊技盤に配設された変動入賞装置の１回当たりの作動時間の短縮を図るとともに、遊技球の振り分け機構のコンパクト化を図ることを目的とする。【解決手段】  内部に凹室７５を有する変動入賞装置６０が、凹室７５の右奥底部に並設された特定領域８０及び特定領域外領域８２と、凹室７５内の左端側から右奥底部に配設された特定領域外領域８２の前側に固定され左上から右下に傾斜した板状体の固定ガイド部材９０’と、固定ガイド部材９０’の右端側へのほぼ延長線上で、特定領域８０の前側から凹室７５の右端外側にかけて設けられ、可動ガイド部材ソレノイド９４’等により上下方向に移動する可動ガイド部材９２’とを備えている。可動ガイド部材９２’は、特定領域８０方向へ傾斜し、かつ、固定ガイド部材９２’方向へ傾斜した球受け部９２１を備えている。【選択図】        図２２
2004337635.tif 000002
【特許請求の範囲】
【請求項１】
内部に凹室を有し、前記凹室への遊技球の入球が不可能又は困難な閉鎖状態と、前記凹室への遊技球の入球が容易な開放状態とに変換する変動入賞装置を備えた弾球遊技機において、
前記凹室内には、固定ガイド部材と、可動ガイド部材と、特定領域と、特定領域外領域とが設けられ、
前記特定領域と、前記特定領域外領域とは前記凹室の一側に並設され、
前記可動ガイド部材及び前記固定ガイド部材は、前記凹室内に入球した遊技球を前記特定領域又は前記特定領域外領域に誘導する部材であり、
前記可動ガイド部材及び前記固定ガイド部材の両方が前記凹室内の遊技球を前記特定領域に誘導する状態と、前記固定ガイド部材が前記凹室内の遊技球を前記特定領域外領域に誘導し、前記可動ガイド部材が前記特定領域への入球を阻止する状態とに変換するように構成されており、
前記固定ガイド部材は傾斜した状態で固定して設けられ、前記可動ガイド部材は球受け部を有し上下方向に移動可能に前記固定ガイド部材の延長線上に設けられ、
前記可動ガイド部材及び前記固定ガイド部材の両方が前記凹室内に入球した遊技球を前記特定領域に誘導する状態のとき、前記可動ガイド部材は下方向に移動し、前記球受け部が前記固定ガイド部材よりも低い位置で段差を生ずるように配置され、前記凹室内に入球した遊技球は、前記固定ガイド部材上に載り前記傾斜に沿って転動して前記球受け部へ到達して前記特定領域に入球し、
前記固定ガイド部材が前記凹室内に入球した遊技球を前記特定領域外領域に誘導し、前記可動ガイド部材が前記特定領域への入球を阻止する状態のとき、前記可動ガイド部材は上方向に移動し、前記球受け部の先端と前記固定ガイド部材の端部との間に遊技球１個を支える程度の段差が形成され、前記凹室内に入球した遊技球は、前記固定ガイド部材上に載り前記傾斜に沿って転動し該段差によって前記特定領域への入球を阻止され、特定領域外領域へ入球することを特徴とする弾球遊技機。
【請求項２】
前記可動ガイド部材の前記球受け部は、前記特定領域への誘導を円滑にするために前記特定領域方向へ傾斜し、かつ、前記可動ガイド部材が上方向に移動した際に前記球受け部上に残った遊技球を前記固定ガイド部材側へ誘導するため前記固定ガイド部材方向へ傾斜していることを特徴とする請求項１に記載の弾球遊技機。
【発明の詳細な説明】
【技術分野】
【０００１】
本発明は、変動入賞装置を備える弾球遊技機に関するものである。
【背景技術】
【０００２】
従来、弾球遊技機のうち、例えば、第１種と呼ばれるパチンコ機では、特別図柄表示装置において、当たりを示す特定図柄（例えば、７、７、７の３桁の同一図柄）が停止表示されると特別遊技状態となり、変動入賞装置が開放状態に変換され、設定時間が経過するか（例えば、約３０秒）、又は、設定個数（例えば、１０個）が入賞すると、これを閉鎖状態に変換する。この変動入賞装置の入賞領域内には、特定領域と特定領域外領域とが設けられ、開放中あるいは閉鎖時に入賞した遊技球（例えば、１個）が特定領域を通過していると、再度、変動入賞装置を開放状態に変換するようになっている。つまり、継続条件が成立して、変動入賞装置は規定回数（例えば、１６回）だけ開放状態と閉鎖状態の変換を繰り返す。なお、通常は遊技球が変動入賞装置の入賞領域内に設定された特定領域を通過する確率は概ね１／３未満、前述した設定個数は概ね１０個に設定されている。
【０００３】
ところで、前述した確率及び設定個数は、趣向性の向上や射幸性の抑制を考慮して決定されており、これらの条件を満たす範囲内で、変動入賞装置に、入賞領域内の特定領域又は特定領域外領域へ遊技球を導く振り分け機構を配設できるものである。従って、遊技盤面上の障害釘により遊技球を振り分けたり、入賞領域の左右両端側にそれぞれ特定領域と特定領域外領域とを設け、かつ、シーソー状に傾動する可動傾斜部材を配設して遊技球を振り分けるもの等が存在していた。
【発明の開示】
【発明が解決しようとする課題】
【０００４】
しかし、上記障害釘によって遊技球の振り分けを行う場合には、各弾球遊技機ごとに釘調整を行う必要が生じて手間がかかり、また、上記シーソー状に傾動する可動傾斜部材を配設して遊技球の振り分けを行う機構の場合には、例えば、あらかじめ可動傾斜部材の一端が特定領域側に下がっていて、遊技球１個が特定領域に入球すると同時に、その可動傾斜部材の一端が上昇し他端が特定領域外領域側に下降する場合において、遊技球が複数個連続して入賞領域内にあると、１個目の遊技球は素早く特定領域に入球しても、２個目以降の遊技球は可動傾斜部材の傾動によりどうしても反対側にある特定領域外領域への入球には時間を要することとなる。従って、１回当たりの作動時間が比較的長くなって、結果的に特別遊技の時間は長くならざるを得ない。よって、弾球遊技機の稼働時間の高効率化を図れない。さらに、かかる機構の場合、可動傾斜部材の傾動方向が上下両方向となり振幅が大きいため、振り分け機構を含んだ装置全体のサイズは比較的大きくならざるを得ない。また、この可動傾斜部材の振幅を小さくしようとすると、可動傾斜部材の傾斜角度を緩やかに設定することになるが、この場合には、傾斜角度が緩やかゆえに、入賞する遊技球の勢いによっては、正確な振り分けができないおそれがあり、前述した確率を満たさない場合も発生する。
【０００５】
そこで、本発明の課題は、弾球遊技機の変動入賞装置の１回当たりの作動時間の短縮を図るとともに、遊技球の振り分け機構のコンパクト化を図ることとする。
【課題を解決するための手段】
【０００６】
本発明は、上記課題を解決するために創作されたものであり、請求項１に記載の発明は、内部に凹室を有し、凹室への遊技球の入球が不可能又は困難な閉鎖状態と、凹室への遊技球の入球が容易な開放状態とに変換する変動入賞装置を備えた弾球遊技機において、凹室内には、固定ガイド部材と、可動ガイド部材と、特定領域と、特定領域外領域とが設けられ、特定領域と、特定領域外領域とは凹室の一側に並設され、可動ガイド部材及び固定ガイド部材は、凹室内に入球した遊技球を特定領域又は特定領域外領域に誘導する部材であり、可動ガイド部材及び固定ガイド部材の両方が凹室内の遊技球を特定領域に誘導する状態と、固定ガイド部材が凹室内の遊技球を特定領域外領域に誘導し、可動ガイド部材が特定領域への入球を阻止する状態とに変換するように構成されており、固定ガイド部材は傾斜した状態で固定して設けられ、可動ガイド部材は球受け部を有し上下方向に移動可能に固定ガイド部材の延長線上に設けられ、可動ガイド部材及び固定ガイド部材の両方が凹室内に入球した遊技球を特定領域に誘導する状態のとき、可動ガイド部材は下方向に移動し、球受け部が固定ガイド部材よりも低い位置で段差を生ずるように配置され、凹室内に入球した遊技球は、固定ガイド部材上に載り傾斜に沿って転動して球受け部へ到達して特定領域に入球し、固定ガイド部材が凹室内に入球した遊技球を特定領域外領域に誘導し、可動ガイド部材が特定領域への入球を阻止する状態のとき、可動ガイド部材は上方向に移動し、球受け部の先端と固定ガイド部材の端部との間に遊技球１個を支える程度の段差が形成され、凹室内に入球した遊技球は、固定ガイド部材上に載り傾斜に沿って転動し該段差によって特定領域への入球を阻止され、特定領域外領域へ入球することを特徴とするものである。
【０００７】
この構成の遊技機においては、変動入賞装置が開放中に、遊技球が凹室に入球すると、可動ガイド部材が下方向に移動した状態のとき、その遊技球は、傾斜した固定ガイド部材上を転動して可動部材の球受け部へ到達して特定領域に入球する。そして、遊技球１個が特定領域に入球すると、可動ガイド部材が作動して、可動ガイド部材が上方向に移動し、それ以後に入賞した遊技球はすべて特定領域外領域に入球する。
【０００８】
本構成の遊技機によれば、入賞領域内の一側に特定領域及び特定領域外領域を並設しているので、遊技球の振り分け機構の可動ガイド部材の傾動方向を逆方向へ変換する必要がなく、さらに可動ガイド部材は直線運動を行うため、可動ガイド部材の垂直（上下）方向の移動が一層迅速となる。従って、凹室内に角度のある傾斜状の固定ガイド部材を採用して遊技球の各領域への入球速度を上昇させるとともに、特定領域と特定領域外領域への遊技球の振り分けを可動ガイド部材により正確に行うことができる。その結果、変動入賞装置の１回当たりの作動時間を短縮することが可能となり、特別遊技の時間も比較的短縮することができる。
【０００９】
また、特定領域外領域前までに至る可動ガイド部材の傾動方向の逆方向への変換がないため、可動ガイド部材の振幅を比較的小幅に抑えることができるので、振り分け機構をコンパクト化することができる。さらに、リンク等の連結部材が介在しないことから、遊技球の振り分け機構のより一層のコンパクト化を図ることが可能となる。
【００１０】
また、請求項２に記載の発明は、可動ガイド部材の球受け部は、特定領域への誘導を円滑にするために特定領域方向へ傾斜し、かつ、可動ガイド部材が上方向に移動した際に球受け部上に残った遊技球を固定ガイド部材側へ誘導するため固定ガイド部材方向へ傾斜していることを特徴としている。
【発明の効果】
【００１１】
請求項１に記載の遊技機によれば、入賞領域内の一側に特定領域及び特定領域外領域を並設しているので、遊技球の振り分け機構の可動ガイド部材の傾動方向を逆方向へ変換する必要がなく、さらに可動ガイド部材は直線運動を行うため、可動ガイド部材の垂直（上下）方向の移動が一層迅速となる。従って、凹室内に角度のある傾斜状の固定ガイド部材を採用して遊技球の各領域への入球速度を上昇させるとともに、特定領域と特定領域外領域への遊技球の振り分けを可動ガイド部材により正確に行うことができる。その結果、変動入賞装置の１回当たりの作動時間を短縮することが可能となり、特別遊技の時間も比較的短縮することができる。
【００１２】
また、特定領域外領域前までに至る可動ガイド部材の傾動方向の逆方向への変換がないため、可動ガイド部材の振幅を比較的小幅に抑えることができるので、振り分け機構をコンパクト化することができる。さらに、リンク等の連結部材が介在しないことから、遊技球の振り分け機構のより一層のコンパクト化を図ることが可能となる。
【００１３】
また、請求項２に記載の発明によれば、可動ガイド部材の球受け部は、特定領域方向へ傾斜させることで、特定領域への誘導を円滑にすることができ、固定ガイド部材方向へ傾斜させることで、可動ガイド部材が上方向に移動した際に球受け部上に残った遊技球を固定ガイド部材側へ誘導することができる。
【発明を実施するための最良の形態】
【００１４】
本発明の実施の形態としての実施例を図面を利用して説明する。本発明は、弾球遊技機に備えた変動入賞装置の振り分け機構に特徴を有するものである。まず、弾球遊技機として、いわゆる第１種のパチンコ機を例に取り、その構造を図１〜図５を利用して説明する。
【００１５】
本実施例のパチンコ機Ａの前面構造を図１を利用して説明する。パチンコ機Ａの前面部は、本体枠２と、中枠４と、前面枠６と、上皿部８と、下皿部１０と、施錠装置１２とから構成されている。本体枠２は、木製の板状体を略長方形の額縁状に組立て固着したものである。中枠４は、全体がプラスチック製で、枠体部（図示略）と下板部（図示略）とを有して、本体枠２の内周側に嵌合し取り付けられている。ここで、枠体部は、上端から下方へ中枠４全体の略２／３程度に略長方形の額縁状に形成され、上端部には、前面枠６の枠飾りランプ用レンズ６ｂに対応して、左側に賞球表示ＬＥＤ（図示略）及び賞球表示ＬＥＤ基板６ｄ（図１５参照）が、右側にストップ表示ＬＥＤ（図示略）及びストップ表示ＬＥＤ基板６ｆ（図１５参照）が配設されている。また、下板部は、下端から上方へ中枠４全体の略１／３程度を占め、左端には、上皿部８に形成されたスピーカ面８ａに対応すべく、遊技状態に応じた効果音を発生させるスピーカ（図示略）が配設され、略中央には、遊技球を発射する発射装置ユニット１８（図５参照）に上皿部８に貯留された遊技球を供給する供給装置等（図示略）が設けられている。さらに、下方には、下皿部１０が設けられ、右端中央には、施錠装置１２が設けられている。
【００１６】
下皿部１０は、灰皿や球抜きレバー等を備えて、パチンコ機Ａの内部から遊技球を排出するための排出口１０ｃが開設され、右端に発射装置ユニット１８を操作する発射ハンドル１６が設けられている。また、この発射ハンドル１６には、遊技者がタッチしていることを検出するタッチスイッチ１６ａが装着され、その近傍には、発射停止を一時的に指令する発射停止スイッチ１６ｂが配置されている。施錠装置１２は、正面視すると鍵穴を備えた略長方形状を呈し、前面枠６を閉鎖した場合に施錠するためのものである。
【００１７】
前面枠６は、全体がプラスチック製であり、遊技盤２０を前方から視認するべく、遊技盤２０に形成された遊技領域２２の形状に対応して上側が略円弧状を呈し、全体が略弾丸形状に開設された開口部６ａを有している。そして、その裏面には、開口部６ａに応じてガラス板が嵌められた略長方形状のガラス枠（図示略）が装着されている。また、この前面枠６は、パチンコ機Ａの前面全体の約２／３のサイズを占め、本体枠２の左端に軸着され開閉可能に形成されている。さらに、上端部には、枠飾りランプ用レンズ６ｂが設けられ、このレンズ６ｂ内部には、開口部６ａ上端の円弧部分に沿って、枠飾りランプ基板６ｇ（図１５参照）及び複数個の遊技効果ランプ（図示略）が配設されている。
【００１８】
上皿部８は、前面枠６の下側で、中枠４の左端に軸着され開閉可能に形成されている。皿外縁部８ｄには、球抜きボタンや遊技球の貸出・返却ボタン等が配設されている。また、パチンコ機Ａの内部から遊技球を排出するための排出口８ｃが開設されている。左端には、複数の長孔を有するスピーカ面８ａが形成され、左端の裏面には、音量スイッチ基板９（図１５参照）が設けられている。パチンコ機Ａの左端側には、プリペイドカードユニット１４が装着されている。
【００１９】
次に、本実施例の遊技盤２０の表面構造を図２を利用して説明する。遊技盤２０は、略長方形の木製の板状体であって、後述する裏機構盤１２０（図５参照）により保持され、その表面に設けられた外レール２１と内レール２３とにより略円形状に形成される遊技領域２２内に、特別図柄表示装置４０と、第１種始動口（普通電動役物）５０と、変動入賞装置６０と、各種入賞口２８、３０等と、多数の障害釘３９と、一対のランプ風車２４、２６や一対の風車３３、３５等が配設されて、構成されている。
【００２０】
特別図柄表示装置４０は、遊技領域２２の略中央部に配置され、センター役物４２と、液晶表示盤４６とを備えている。ここで、液晶表示盤４６は、複数種類の特別図柄（図示略）等を変動表示するもので、その映像表示面は略長方形状を呈している。また、この液晶表示盤４６は、遊技球が第１種始動口（普通電動役物）５０に入球することにより、その映像表示面に表示される各特別図柄をそれぞれ変動させて停止表示させるものである。そして、例えば、特別図柄が「７、７、７」の３桁同一図柄で揃って停止表示すると、変動入賞装置６０に配設された後述する大入賞装置７０が開放される。また、センター役物４２は、液晶表示盤４６の前面周辺部に額縁状で突設して装着され、普通図柄表示装置４４と、翼状部４３、４５と、ステージ４１とを備えている。
【００２１】
普通図柄表示装置４４は、センター役物４２上部中央に配置され、７セグメント表示器４４ａと、普通図柄保留表示ＬＥＤ４４ｂとを有している。また、この普通図柄表示装置４４の両側にはそれぞれ、略翼状に延びた翼状部４３、４５が配設されている。さらに、その下側には、４個の丸形の緑色ＬＥＤで構成され、並列状に特別図柄保留表示ＬＥＤ４８ｂが設けられている。これは、第１種始動口（普通電動役物）５０に入球した遊技球の数を４個まで保留とし、入球ごとに順次点灯シフト表示するものである。そして、液晶表示盤４６で次の特別図柄の変動表示が開始するたびに、保留数が消化され、１個の特別図柄保留表示ＬＥＤ４８ｂは消灯される。７セグメント表示器４４ａは、１〜９の奇数数字を変動表示させるもので、後述する左右の普通図柄作動ゲート３６、３８のいずれかを遊技球が通過することにより、変動して所定時間経過後に１種類の奇数数字が停止表示される。そして、例えば、「７」で停止表示すると、第１種始動口（普通電動役物）５０が所定時間（例えば、０．５秒）開放される。
【００２２】
普通図柄保留表示ＬＥＤ４４ｂは、４個の丸形の赤色ＬＥＤで構成され、７セグメント表示器４４ａの両側に２個ずつに分けて配置されている。これは、左右の普通図柄始動ゲート３６、３８を通過した遊技球の数を４個まで保留とし、通過ごとに順次点灯シフト表示するものである。次の７セグメント表示器４４ａの変動表示が開始するたびに、保留数が消化され、１個の普通図柄保留表示ＬＥＤ４４ｂは消灯される。翼状部４３、４５は、上述したように、センター役物４２上部から側部にかけて中空状に形成され、上部内部には、複数個の遊技効果ランプ４８ｒ（図３参照）が配設されている。また、各外側部上端には、遊技球の通過口４３ａ、４５ａがそれぞれ設けられ、各内側部下端には、遊技球の通過口出口（図示略）がそれぞれ設けられて、これらの通過口と通過口出口間にはそれぞれ、図示しない通過筒部が設けられている。そして、各通過口４３ａ、４５ａから入った遊技球は、各通過筒部を通過して各通過口出口から飛び出し、ステージ４１上を転動する。
【００２３】
ステージ４１は、センター役物４２下部に配置され、各通過口出口からの遊技球を中央寄りに集めつつ、さらに、遊技盤２０面上を流下させるべく、一部傾斜状に形成されている。第１種始動口（普通電動役物）５０は、特別図柄表示装置４０におけるセンター役物４２に有するステージ４１の中央直下に配設され、いわゆるチューリップ式で左右に一対の翼片部が開閉するべく形成されている。内部には、遊技球の通過を検知する第１種始動口（普通電動役物）入賞検知スイッチ５０ｓ（図４参照）が備えられている。この一対の翼片部が左右に開くと、遊技球の入球可能な開放状態となり、一対の翼片部が閉じると、遊技球の入球困難な閉鎖状態となる。
【００２４】
変動入賞装置６０は、上記第１種始動口（普通電動役物）５０の下方に配設され、前面側が略逆台形状に形成された基板６６に、大入賞装置７０と、左入賞口６２と、右入賞口６４とを備えている。ここで、大入賞装置７０は、略中央に形成され、帯状に開口された大入賞口７２（図７参照）と、この大入賞口７２を開放・閉鎖する開閉板７４等を備えており、詳しくは後述する。また、左入賞口６２は、大入賞装置７０の左斜め上方に配設されて、内部に左入賞口通過検知スイッチ６２ｓ（図４参照）が設けられている。さらに、右入賞口６４は、大入賞装置７０の右斜め上方に配設されて、内部に右入賞口通過検知スイッチ６４ｓ（図４参照）が設けられている。
【００２５】
アウト口３７は、変動入賞装置６０における大入賞装置７０の中央直下に配設されている。バック球防止部材５５は、アウト口３７の下部に設けられ、遊技領域２２に到達せず戻ってきた遊技球が再び発射位置に戻ることを防止するものである。ファール球防止部材２５は、内レール２３の先端部に取り付けられ、返しゴム２７は、ファール球防止部材２５の位置とは略正反対側の、遊技盤２０の右半分側の位置であって、外レール２１に沿って嵌合状に取り付けられている。一対のランプ風車２４、２６はそれぞれ、特別図柄表示装置４０から左右斜め上方に配設されている。左上入賞口２８及び右上入賞口３０はそれぞれ、特別図柄表示装置４０から左右両側方に配設されている。左下入賞口３２及び右下入賞口３４はそれぞれ、特別図柄表示装置４０から左右斜め下方に配設されている。
【００２６】
左普通図柄作動ゲート３６及び右普通図柄作動ゲート３８はそれぞれ、第１種始動口（普通電動役物）５０の左右両側に配設され、内部に左、右普通図柄作動ゲート通過検知スイッチ３６ｓ、３８ｓ（図４参照）がそれぞれ設けられている。上述したように、遊技球がこれらの通過検知スイッチ３６ｓ、３８ｓのいずれかを通過することにより、普通図柄表示装置４４における７セグメント表示器４４ａが作動する。一対の風車３３、３５はそれぞれ、特別図柄表示装置４０から左右両側方であって、特別図柄表示装置４０と左上入賞口２８又は右上入賞口３０間に配設されている。一対のサイドランプ２９、３１はそれぞれ、遊技領域２２の左右両端部において、縦帯状で相対称状に配設されている。なお、多数の障害釘３９は、以上説明した各装置等との位置バランスを考慮して、遊技領域２２にパチンコ遊技に適するべく、配設されている。
【００２７】
次に、本実施例の遊技盤２０上に位置する各種ＬＥＤ、ランプと、これらの基板について図３を利用して説明する。遊技盤２０における遊技領域２２には、センター役物４２に備える普通図柄表示装置４４に、４個の丸形の普通図柄保留表示ＬＥＤ４４ｂ用の略長方形状の基板４４ｆが配設されている。また、この基板４４ｆの下側であって、左右の翼状部４３、４５周辺に、４個の丸形の特別図柄保留表示ＬＥＤ４８ｂ及び４個の遊技効果ランプ４８ｒ兼用の基板４８ｆが配設されている。また、一対のランプ風車２４、２６の位置には、２個の丸形の遊技効果ランプ２４ｒ、２６ｒを各ランプ風車軸の両側にそれぞれ備えた略円形状の基板２４ｆ、２６ｆが配設されている。また、一対のサイドランプ２９、３１の位置には、３個の丸形の遊技効果ランプ２９ｒ、３１ｒを縦列にそれぞれ備えた略縦帯状のサイドランプ基板２９ｆ、３１ｆが配設されている。
【００２８】
また、左上入賞口２８の位置には、１個の丸形の遊技効果ランプ２８ｒを略中心に備えた略Ｖ字状の左上入賞口基板２８ｆが、右上入賞口３０の位置には、１個の丸形の遊技効果ランプ３０ｒを略中心に備えた略Ｖ字状の左上入賞口基板３０ｆが、配設されている。また、左下入賞口３２の位置には、１個の丸形の遊技効果ランプ３２ｒを略中心に備えた略Ｕ字状の左下入賞口基板３２ｆが、右下入賞口３４の位置には、１個の丸形の遊技効果ランプ３４ｒを略中心に備えた略Ｕ字状の左上入賞口基板３４ｆが、配設されている。さらに、第１種始動口（普通電動役物）５０の位置には、２個の丸形の遊技効果ランプ５０ｒを並列に備えた略コ字状の第１種始動口（普通電動役物）基板５０ｆが配設されている。
【００２９】
次に、本実施例の遊技盤２０の裏面側の球経路及びスイッチ等の配設について図４を利用して説明する。遊技盤２０の中央部には、略横楕円形状のセンター役物取付用貫設孔４２ｈが設けられ、このセンター役物取付用貫設孔４２ｈの左右斜め上側には、円形状のランプ風車取付用貫設孔２４ｈ、２６ｈが、左右側方には、略だるま形状の左上入賞口取付用貫設孔２８ｈ及び右上入賞口取付用貫設孔３０ｈが、左右斜め下側には、略楕円形状の左下入賞口取付用貫設孔３２ｈ及び右下入賞口取付用貫設孔３４ｈが、中央直下には、略逆円錐台形状の第１種始動口取付用貫設孔５０ｈが、それぞれ設けられている。また、左上入賞口取付用貫設孔２８ｈ及び右上入賞口取付用貫設孔３０ｈそれぞれの外側には、縦長孔状のサイドランプ取付用貫設孔２９ｈ、３１ｈが設けられている。さらに、第１種始動口取付用貫設孔５０ｈの下側には、略逆台形状の変動入賞装置取付用貫設孔６０ｈが設けられている。
【００３０】
また、第１種始動口（普通電動役物）５０の裏側には、第１種始動口（普通電動役物）ソレノイド５２が配設され、その内部には、上述したように、第１種始動口（普通電動役物）入賞検知スイッチ５０ｓが配設されている。左、右普通図柄作動ゲート３６、３８の内部には、上述したように、普通図柄作動ゲート通過検知スイッチ３６ｓ、３８ｓがそれぞれ配設されている。さらに、変動入賞装置６０に形成された大入賞装置７０には、開閉板７４を開閉するための大入賞口ソレノイド７８が配設され、その内側に可動ガイド部材ソレノイド９４が配設され、その左側には、カウント通過検知スイッチ８６とカウント検知及び特定領域通過検知スイッチ８４とが並設されている。なお、上述したように、左入賞口６２及び右入賞口６４の内部にもそれぞれ、左入賞口通過検知スイッチ６２ｓ、右入賞口通過検知スイッチ６４ｓが配設されている。
【００３１】
さらに、遊技盤２０の裏面側には、後述する機構盤１２０において、左上入賞口２８、左下入賞口３２、第１種始動口（普通電動役物）５０及び左入賞口６２を接続した左セーフ球集合樋１００と、右上入賞口３０、右下入賞口３４及び右入賞口６４を接続した右セーフ球集合樋１０２とが配設され、続いて下流側に、左セーフ球集合樋１００及び右セーフ球集合樋１０２の下端がそれぞれ臨み、漏斗状に形成されているセーフ球大集合樋１０４が設けられている。また、アウト口３７の裏側から漏斗状にアウト球集合樋１０６が配設されている。セーフ球大集合樋１０４の下流端には、ユニット化された入賞球排出装置１１０が配設されている。この入賞球排出装置１１０には、少なくとも入賞球排出ソレノイド１１２、入賞球検知レバー１１４、１１６及び入賞球検知スイッチ１１８が配設されている。
【００３２】
次に、本実施例のパチンコ機Ａの裏面構造について図５を利用して説明する。前面枠６は、中枠４にあって前面枠６の上下端の位置に設けられた一対のヒンジ１６８により、開閉可能に支持されている。機構盤１２０は、本体枠２にあって機構盤１２０の上下端の位置に設けられた一対のヒンジ１２２により、開閉可能に支持されている。遊技盤２０は、中枠４の表面側に着脱可能に固定されている。上端側にあるヒンジ１６８の配設位置から見て左側には、タンク球切れ検知スイッチ１２４をタンク底部に備えた賞球タンク１２６と、この賞球タンク１２６に接続されるタンクレール１２８とが取り付けられている。また、タンクレール１２８の右端には、球抜きレバー１３０が設けられ、その下流側には、補給球切れ検知スイッチ１３２が、さらに、その下流側には、賞球払出装置１３４が配設されている。
【００３３】
続いて、遊技球の振り分け部１３６が、賞球払出装置１３４の下流側に設けられている。タンクレール１２８の下側には、特別図柄表示装置４０における液晶表示盤４６を格納した蓋付きの裏ケース１３８が、裏ケース１３８の下側には、後述する主制御部２１０である主制御基板（図１５参照）を格納した主制御基板ケース１４０がそれぞれ設けられている。主制御基板ケース１４０の左側には、発射装置制御基板４０４（図１５参照）を格納した発射装置制御基板ケース１４２、タッチ感度調整つまみ１４４、球飛び強弱調整つまみ１４６及び発射制御集合中継基板１４８が設けられている。機構盤１２０の左下方部には、上述した発射装置ユニット１８が、同じく右下方部には、補給球詰まり、下皿部満タン、主電源電圧異常、発射停止、主制御基板通信異常、賞球モータ異常などを７セグメントＬＥＤで表示する枠状態表示器１５０を備えた枠制御部４００である枠制御基板（図１５参照）を格納した枠制御基板ケース１５２が設けられている。
【００３４】
一方、機構盤１２０の右上端部には、ヒューズボックス１５４、電源スイッチ１５６、電源ターミナル基板１５８及び大当り、発射装置制御、球切れ、扉開放、賞球、球貸し用等の遊技機枠用外部接続端子を備えた端子基板１６０が設けられている。また、外部から電力の供給を受けるための電源ケーブル１７２も端子基板１６０の下側に配設されている。枠制御基板を格納した枠制御基板ケース１５２からは接続ケーブル１６２が上方へ延出し、電源ケーブル１６４を備えたプリペイドカードユニット１４に接続されている。また、機構盤１２０の略中央下端部には、下皿部用球通路部材１６６が設けられている。
【００３５】
次に、本実施例の変動入賞装置６０につき、特に、大入賞装置７０に関して、図６〜図１０を利用して説明する。図６は、変動入賞装置６０を示す斜視図であり、図７は、変動入賞装置６０を示す正面図であり、図８は、変動入賞装置６０を示す背面図であり、図９は、図７に示すＸ−Ｘ線断面図であり、図１０は、図７に示すＹ−Ｙ線断面図である。変動入賞装置６０は、上述したように、その主要部は、基板６６と、大入賞装置７０と、左入賞口６２と、右入賞口６４とを有している。
【００３６】
基板６６は、図６に示すように、板状体６６ｐと、箱状体６６ｃとから構成されている。板状体６６ｐは、正面視すると略逆台形状に形成され、その前面左右端近傍の上部には、左入賞口６２及び右入賞口６４が突設され、同じく中央部には、大入賞口７２（図７参照）が帯状に貫設され、その他の前面には、装飾用の凹部が多数形成されている。なお、この変動入賞装置６０自体を遊技盤２０の表面側に取り付けるための略円形状の穴部が、４箇所設けられている。箱状体６６ｃは、板状体６６ｐの後面側で左入賞口６２と右入賞口６４間に形成され、その内部空間は区画されており、後述する大入賞装置７０の各部材が配設されている。左入賞口６２は、遊技球１個が入球可能の受け口状に形成され、その後部には、上述したセーフ球大集合樋１０４に臨む樋６２ｔが配設されている。右入賞口６４は、遊技球１個が入球可能の受け口状に形成され、その後部には、上述したセーフ球大集合樋１０４に臨む樋６４ｔが配設されている。
【００３７】
次に、大入賞装置７０は、開閉板７４と、大入賞口ソレノイド７８と、連動杆７６、９６と、固定ガイド部材９０と、可動ガイド部材９２と、可動ガイド部材ソレノイド９４と、特定領域８０と、特定領域外領域８２とから構成されている。開閉板７４は、図６、図７及び図９に示すように、基板６６の板状体６６ｐに形成された大入賞口７２を開放状態又は閉鎖状態にするためのものであり、略長方形状であって、大入賞口７２を塞いだ閉鎖状態の場合に１個の遊技球も入球できない程度のサイズを有し、内面の左右の短辺縁側にはそれぞれ、突起縁部７４ａ、７４ｂが形成されている。また、突起縁部７４ａで開閉板７４の下側長辺寄りに長さの異なる２本のピン７１ａ、７１ｂが、突起縁部７４ｂで同じく下側長辺寄りに１本のピン７３がそれぞれ、外側に向けて立設されている。なお、これらのピン７１ａとピン７１ｂとは、所定の間隔を開けて形成されている。また、ピン７１ａ及びピン７３は、基板６６の箱状体６６ｃ内部に形成され、平面視すると略Ｌ字形状に形成された凹室７５（図９参照）の区画壁でそれぞれ軸受状に支持されている。さらに、ピン７１ｂは、後述する連動杆７６と係合している。
【００３８】
大入賞口ソレノイド７８は、図７及び図９に示すように、開閉板７４を前後方向に回動させるためのものであり、板状体６６ｐの後面側であって凹室７５の左方側の箱状体６６ｃ内部に配設され、プランジャが下向きで作動するようになっている。そして、このプランジャの先端には、クランク状に形成され他端側がピン７１ｂと係合している連動杆７６が固着されている。従って、この大入賞口ソレノイド７８の作動により、連動杆７６を介して開閉板７４が上述したピン７１ａとピン７３とを枢軸として前後方向に回動する。なお、この連動杆７６は、凹室７５の左側の区画壁に形成された略長方形状の穴部に挿通され、この穴部の範囲内で上下運動を行う。特定領域８０及び特定領域外領域８２は、図９に示すように、凹室７５の右奥底部に並設されている。この特定領域８０内部には、上述したカウント検知及び特定領域通過検知スイッチ８４が、特定領域外領域８２内部には、上述したカウント通過検知スイッチ８６が、それぞれ配設されている。
【００３９】
以下、大入賞装置７０における遊技球の振り分け機構の構成について説明する。固定ガイド部材９０は、大入賞口７２から入球した遊技球を特定領域８０又は特定領域外領域８２に誘導するためのものであり、板状体であって、少なくとも遊技球１個が通過可能の幅を有している。そして、固定ガイド部材９０は、図９に示すように、平面視すると台形状を呈して、凹室７５の右奥底部に並設された特定領域８０及び特定領域外領域８２の前側において、左上から右下に傾斜し固定して設けられている。
【００４０】
可動ガイド部材９２は、大入賞口７２から入球した遊技球を特定領域８０又は特定領域外領域８２に誘導するためのものであり、稼働後は、特定領域外領域８２のみに誘導するためのものである。固定ガイド部材９０と同様、板状体であって、少なくとも遊技球１個が通過可能の幅を有している。そして、可動ガイド部材９２は、図９に示すように、平面視すると逆台形状を呈して、凹室７５内の左端側から特定領域外領域８２の前側において、稼働前位置は、左上から右下へ傾斜し、固定ガイド部材９０と連なるように設定されている。また、可動ガイド部材９２の左端には、この可動ガイド部材９２を上下方向に回動させるための支点９２ａが、下面略中央には、作用点９２ｂが設けられている（図１２参照）。なお、固定ガイド部材９０とこの可動ガイド部材９２との境目が、平面視すると斜線状、すなわち、手前から奥に向かって右上がりで形成されているのは（図９参照）、可動ガイド部材９２が稼働した後に、固定ガイド部材９０との間に形成される段差によって特定領域８０に対する障害を設定し、遊技球を特定領域外領域８２へ正確に誘導し易くするためである。
【００４１】
可動ガイド部材ソレノイド９４は、可動ガイド部材９２を上下方向に回動させるためのものであり、図９に示すように、凹室７５の外側の左後部に配設され、プランジャが下向きで作動するようになっている。そして、このプランジャの先端には、可動ガイド部材９２の作用点９２ｂと接続される連動杆９６が固着されている。従って、この可動ガイド部材ソレノイド９４の作動により、連動杆９６を介して可動ガイド部材９２の作用点９２ｂが上下方向に作動し、可動ガイド部材９２が支点９２ａを中心として上下方向に回動する。また、連動杆９６は、凹室７５の奥壁に形成された縦長孔状の穴部７５ａ（図１２参照）に挿通され、この穴部の範囲内で上下運動を行う。
【００４２】
次に、本実施例の大入賞装置７０における振り分け機構の作用について図９及び図１１〜図１４を利用して説明する。なお、図１１〜図１４は、図９のＺ−Ｚ線で切断された変動入賞装置６０における大入賞装置７０の要部を示す説明図である。まず、図９に示すように、大入賞口７２が開放状態で、すなわち、大入賞口ソレノイド７８がプランジャを上昇させると、連動杆７６も上昇し、その係合しているピン７１ｂを時計回りに回転させ、開閉板７４がピン７１ａ、７３を枢軸として略垂直状から略水平状に前方へ回動し、手前側に開いた状態となっている場合で、この開閉板７４の作動開始と同時に又は大入賞口７２の開放直後に、可動ガイド部材ソレノイド９４が、そのプランジャを上昇させることにより、連動杆９６を最上点まで上昇させ、可動ガイド部材９２の作用点９２ｂも最上点まで上昇し、可動ガイド部材９２が支点９２ａを中心として上方向に回動し、固定ガイド部材９０と連なる一律の傾斜角度で設定される。
【００４３】
そして、遊技盤２０面上を次々と流下してきた遊技球が、この大入賞口７２から凹室７５内に入球すると、そのほとんどが可動ガイド部材９２又は固定ガイド部材９０上に載りその傾斜に沿って転動し、右奥底部で左から順に並設されている特定領域外領域８２又は特定領域８０に導かれ、カウント通過検知スイッチ８６又はカウント検知及び特定領域通過検知スイッチ８４を通過する。少なくとも１個の遊技球が、特定領域８０のカウント検知及び特定領域通過検知スイッチ８４を通過すると、簡略には、その入賞検知信号が中継基板５００を介して主制御部２１０に送信され、この入賞検知信号に基づいて主制御部２１０におけるＣＰＵ２１２が、可動ガイド部材ソレノイド９４に作動を指示する（図１５参照）。
【００４４】
次に、図１３及び図１４に示すように、この指示を受けた可動ガイド部材ソレノイド９４は、プランジャを下降させることにより、連動杆９６が最下点まで下降し、可動ガイド部材９２が支点９２ａを中心として下方向に回動して停止する。すなわち、可動ガイド部材９２の右端側がさらに下がって傾斜角度が急の状態を呈する。従って、固定ガイド部材９０との間に大きな段差が生じ、この後に入球したすべての遊技球は、可動ガイド部材９２の急な傾斜に沿って転動した後、この段差に当たって特定領域外領域８２にスムーズに導かれる。よって、遊技球は、特定領域８０へ入球しない。そして、通常、特定領域８０に入球した遊技球数と、特定領域外領域８２に入球した遊技球数との合計が１０個に達すると、図１１及び図１２に示すように、大入賞口ソレノイド７８はプランジャを下降させ、連動杆７６も下降して、その係合しているピン７１ｂを反時計回りに回転させ、開閉板７４がピン７１ａ、７３を枢軸として略水平状から略垂直状に後方へ回動し、大入賞口７２を閉鎖状態にする。以上のようにして、大入賞装置７０における振り分け機構は作動する。
【００４５】
なお、本実施例では、固定ガイド部材９０と可動ガイド部材９２との境目の形状を斜線状としているが、この形状にかかわらず、スムーズに遊技球が特定領域外領域に入球可能であることを条件として、例えば、直線状、波線状、円弧状等であってもよい。
【００４６】
本実施例の変動入賞装置６０、とりわけ、大入賞装置７０における振り分け機構によれば、凹室７５の右奥底部だけに特定領域８０及び特定領域外領域８２を並設しているので、遊技球の振り分け機構である可動ガイド部材９２の傾動方向を逆方向へ変換する必要がなく、可動ガイド部材９２を左上から右下にかけて固定ガイド部材９０と連続させ一律の傾斜角度で設定することができ、遊技球の各領域への入球速度を比較的高めることができる。その結果、変動入賞装置６０の１回当たりの作動時間を短縮することが可能となり、特別遊技の時間も比較的短縮することができる。また、特定領域外領域８２前までに至る可動ガイド部材９２の傾動方向の逆方向への変換がないため、可動ガイド部材９２の振幅を比較的小幅に抑えることができるので、振り分け機構をコンパクト化することができる。また、可動ガイド部材９２と固定ガイド部材９０との間に、遊技球１個が通常では乗り越えられない段差を形成することができるので、遊技球の正確な振り分けができる。さらに、本実施例の変動入賞装置６０、とりわけ、大入賞装置７０における振り分け機構を備えたパチンコ機Ａによれば、特に、トータル的にパチンコ機Ａの稼働時間の高効率化を図ることができる。
【００４７】
次に、上記実施例の変動入賞装置６０の変形例、とりわけ、大入賞装置７０の変形例について図２１及び図２２を利用して説明する。図２１は大入賞装置７０’の可動ガイド部材の作動機構の要部を示す説明図であり、図２２は、図９のＺ−Ｚ線で切断された変動入賞装置６０における大入賞装置７０’の要部を示す説明図である。上記実施例の大入賞装置７０の振り分け機構の改良点というのは、遊技球の振り分けを一層正確にできる点である。すなわち、図２１に示すように、可動ガイド部材を直接、可動ガイド部材ソレノイドのプランジャに直結させることにより、振り分け機構全体の作動を従来よりも素早く行おうとしたものである。以下、この改良点について説明する。
【００４８】
まず、本変形例の大入賞装置７０’における遊技球の振り分け機構の構成について説明する。なお、上記実施例と同一の構成部材については同じ番号を付するものとする。固定ガイド部材９０’は、上記固定ガイド部材９０と同様に板状体であり、少なくとも遊技球１個が通過可能の幅を有している。但し、上記固定ガイド部材９０とは異なり、平面視すると略長方形状を呈し、また、凹室７５の左端側から右奥底部に配設された特定領域外領域８２の前側までにおいて、左上から右下にかけて傾斜し固定して設けられている。
【００４９】
可動ガイド部材９２’は、上記可動ガイド部材９２と同様に、少なくとも遊技球１個が通過可能の幅を有し、可動ガイド部材ソレノイド９４’により垂直（上下）方向に移動させられるものであるが、図２１に示すように、その配置は、上記可動ガイド部材９２とは異なり、固定ガイド部材９０’の右端側へのほぼ延長線上で、特定領域８０の前側から凹室７５の右端外側にかけて設けられている。そして、この可動ガイド部材９２’は、側面視すると略Ｓ字状を呈し、球受け部９２１と、支持部９２２とにより構成されている。球受け部９２１は、遊技球の特定領域８０への誘導を円滑にするため、緩やかに特定領域８０方向へ傾斜し、かつ、可動ガイド部材９２’が上方向に移動した際に、球受け部９２１上に居残ってしまった遊技球があった場合にその遊技球を固定ガイド部材９０’側へ誘導するため、緩やかに傾斜している。また、支持部９２２は、球受け部９２１を支持し、可動ガイド部材ソレノイド９４’のプランジャの先端に直結している。
【００５０】
なお、図２２に示すように、稼動前位置は、球受け部９２１の先端が、固定ガイド部材９０’の右端の高さ位置よりも、その高さが少し下がった位置（最下点）にあって、段差を生ずるように配置される。このように段差を形成するのは、上述したように、球受け部９２１には固定ガイド部材９０’側に向けて若干の傾斜があり、この傾斜によって、可動ガイド部材９２’までに一旦誘導されて、特定領域８０に入球しようとした遊技球が逆流しないようにするためである。また、稼動後位置も、図２２に示すように、球受け部９２１の先端が、固定ガイド部材９０’の左端の高さ位置と略同一の高さに上昇した位置（最上点）である。
【００５１】
可動ガイド部材ソレノイド９４’は、可動ガイド部材９２’をその球受け部９２１を水平状に保ったまま垂直（上下）方向に移動させるためのものである。図２２に示すように、凹室７５の右端外側に配設され、プランジャが上向きに作動するようになっている。そして、このプランジャの先端が、可動ガイド部材９２’の支持部９２２と直接連結されている。従って、この可動ガイド部材ソレノイド９４’の作動により、支持部９２２が迅速に上下動し、これに伴って球受け部９２１も迅速に上下動する。なお、球受け部９２１の移動範囲は、プランジャの移動距離に比例する。
【００５２】
次に、本変形例の大入賞装置７０’における振り分け機構の作用について説明する。まず、図９に示すように、大入賞口７２が開放状態である場合において、すなわち、開閉板７４が手前側に開いた状態となっている場合に、可動ガイド部材ソレノイド９４’は作動せず、可動ガイド部材９２’の球受け部９２１は最下点で維持されている。従って、遊技盤２０面上を次々と流下してきた遊技球が、大入賞口７２から凹室７５内に入球すると、固定ガイド部材９０’上に載りその傾斜に沿って転動して可動ガイド部材９２’の球受け部９２１へ到達する。そして、右奥底部に配設されている特定領域８０に誘導され入球すると、カウント検知及び特定領域通過検知スイッチ８４を通過する。１個目の遊技球がカウント検知及び特定領域通過検知スイッチ８４を通過すると、簡略には、上記大入賞装置７０と同様に、その入賞検知信号が中継基板５００を介して主制御部２１０に送信され、この入賞検知信号に基づいて主制御部２１０におけるＣＰＵ２１２が、可動ガイド部材ソレノイド９４’に作動を指示する（図１５参照）。
【００５３】
次に、この指示を受けた可動ガイド部材ソレノイド９４’が励磁されプランジャを上昇させることにより、可動ガイド部材９２’が最下点から最上点まで素早く上昇して停止する。従って、固定ガイド部材９０’の右端側と可動ガイド部材９２’の球受け部９２１の先端との間に遊技球１個を支える程度の段差が形成される。よって、２個目以降の遊技球も、上述したように、固定ガイド部材９０’上に載りその傾斜に沿って転動してくるが、この段差により特定領域８０へ入球することは阻止され、その後のすべての遊技球は特定領域外領域８２へ入球することになり、カウント通過検知スイッチ８６を通過する。そして、その後特定領域８０に入球した遊技球数と特定領域外領域８２に入球した遊技球数の総数が１０個に達すると、開閉板７４が大入賞口７２を閉鎖状態とする。この閉鎖状態になると同時に、可動ガイド部材ソレノイド９４’は消磁され上昇状態のプランジャが下降して、可動ガイド部材９２’が最下点に戻る。以上のようにして、大入賞装置７０’における振り分け機構は作動する。
【００５４】
なお、上記実施例又は変形例では、凹室７５の右奥底部に特定領域８０及び特定領域外領域８２を並設しているが、左奥底部にこれらを並設してもよい。従って、この場合には、固定ガイド部材９０、９０’、可動ガイド部材９２、９２’等の振り分け機構自体も上記実施例又は変形例とは対称状に配設されることになる。
【００５５】
本変形例の大入賞装置７０’における振り分け機構によれば、可動ガイド部材９２’が可動ガイド部材ソレノイド９４’に直結され、円弧運動でなく直線運動を行うので、可動ガイド部材９２’の垂直（上下）方向の移動が一層迅速となり、１ラウンドにおける特定領域８０への入球を可能な限り１個に留めることができる。従って、凹室７５内に角度のある傾斜状の固定ガイド部材９０’を採用して遊技球の入球速度を上昇させるとともに、特定領域８０と特定領域外領域８２への遊技球の振り分けを可動ガイド部材９２’により、先の実施例よりも一層正確に行うことができる。また、リンク等の連結部材が介在しないことから、遊技球の振り分け機構のより一層のコンパクト化を図ることが可能となる。
【００５６】
次に、本実施例のパチンコ機Ａの電子制御装置２００について図１５〜図２０を利用して説明する。まず、電子制御装置２００は、主制御部２１０と、枠制御部４００と、主制御部２１０と通信を行う特別図柄制御部３００とを含んで構成されている。主制御部２１０は、ＣＰＵ２１２と、ＲＡＭ２１４と、ＲＯＭ２１６と、入出力インターフェイス２１８とをバス２２０により相互に接続したものである。そして、ＣＰＵ２１２は、ＲＯＭ２１６に格納された制御プログラム２１６ａにより、ＲＡＭ２１４をワークエリアとしてパチンコ機Ａ全体を制御する。また、主制御部２１０は、特別図柄制御部３００とともに、表示態様制御を行う。しかも、ＲＯＭ２１６に記憶された当否判定プログラム２１６ｂにより、ＣＰＵ２１２が主体となって当否判定制御を行う。
【００５７】
中継基板５００には、タッチスイッチ１６ａ、発射停止スイッチ１６ｂ、右普通図柄作動ゲート通過検知スイッチ３８ｓ、左普通図柄作動ゲート通過検知スイッチ３６ｓ、カウント検知スイッチ８６、カウント検知及び特定領域通過検知スイッチ８４、ヴォリュームスイッチ５０２、左入賞口通過検知スイッチ６２ｓ、右入賞口通過検知スイッチ６４ｓ、タンク球切れ検知スイッチ１２４及び補給球切れ検知スイッチ１３２等が接続され、中継基板５００の出力端子は、入出力インターフェイス２１８と接続されている。また、第１種始動口（普通電動役物）入賞検知スイッチ５０ｓ及び入賞球検知スイッチ１１８も、入出力インターフェイス２１８に接続されている。
【００５８】
枠制御部４００は、主制御部２１０と同様の演算回路を含み構成され（詳細は省略）、その入力端子が入出力インターフェイス２１８と接続するとともに、出力端子には、枠飾りランプ基板６ｇ、各種ランプ基板２４ｆ、２６ｆ、２９ｆ、３０ｆ、３１ｆ、３２ｆ、３４ｆ、５０ｆ、各種ＬＥＤ基板６ｄ、６ｆ、４８ｆ、音量スイッチ基板９、普通図柄表示装置基板４４ｆ、各種ソレノイド５２等、入賞球排出ソレノイド１１２、サウンドジェネレーター４０２、賞球払出装置１３４、発射装置制御基板４０４等が接続されている。さらに、入出力インターフェイス２１８には、電源ターミナル基板１５８及び特別図柄制御部３００が接続されている。
【００５９】
主制御部２１０から枠制御部４００へのデータ伝送方式の概略は、以下の通りである。主制御部２１０から枠制御部４００へは、一方向形式でデータが伝送される。但し、入賞球検知スイッチ１１８からの入賞球検知信号は、枠制御部４００と主制御部２１０とにハード的に分配されるように形成されている。
【００６０】
次に、賞球動作は、以下の順序で実行される。まず、主制御部２１０は、遊技球がカウント検知スイッチ８６又はカウント検知及び特定領域通過検知スイッチ８４を通過したら、１５個賞球回数を１インクリメントし、第１種始動口（普通電動役物）入賞検知スイッチ５０ｓを通過したら、６個賞球回数を１インクリメントする。次いで、入賞球検知スイッチ１１８は、入賞球検知信号を主制御部２１０と枠制御部４００とに送信する。そして、主制御部２１０は、入賞球検知スイッチ１１８からの入賞球検知信号を受け取ると、枠制御部４００に対して賞球個数データを送信する。
【００６１】
そして、１５個賞球回数が０でなければ１５個の賞球個数データが、６個賞球回数が０でなければ６個の賞球個数データがそれぞれ伝送される。それ以外の場合、例えば、左右入賞口６２、６４の通過検知スイッチ６２ｓ、６４ｓの通過を検知した場合などにおいては、１０個の賞球個数データが送られる。賞球個数データの送信は、入賞球検知信号がＯＦＦされるまで繰り返される。続いて、枠制御部４００は、入賞球検知スイッチ１１８からの入賞球検知信号と、主制御部２１０からの賞球個数データとを受け取り、賞球払出装置１３４を作動させる。また、枠制御部４００は、入賞球排出ソレノイド１１２を消・励磁させて（入賞球１個を排出する）、入賞球検知信号をＯＦＦさせる。
【００６２】
次に、本実施例の特別図柄制御部３００の電気的構成について図１６を利用して説明する。特別図柄制御部３００は、ＣＰＵ３０２と、ＲＡＭ３０４と、ＲＯＭ３０６と、入力ポート３０８と、ＶＤＰ（Ｖｉｄｅｏ  Ｄｉｓｐｌａｙ  Ｐｒｏｃｅｓｓｏｒ）３１２と、これらを相互に接続するバス３１０と、ＶＤＰ３１２からの出力信号を受け取るＤ／Ａ変換器３１４と、Ｄ／Ａ変換器３１４からの信号を特別図柄表示装置４０に出力する液晶表示盤用出力ポート３１６等から構成されている。特別図柄制御部３００のＣＰＵ３０２は、主制御部２１０からの指示に基づき、ＲＯＭ３０６に格納された画像表示制御プログラム３０６ａにより、ＶＤＰ３１２とともにＲＡＭ３０４をワークエリアとして、後述する特別図柄表示装置４０の表示態様制御を行う。なお、画像表示に使用する画像データは、ＲＯＭ３０６に格納されている。具体的には、図１６に示すように、特別図柄表示装置４０における液晶表示盤４６（図２参照）に表示する特別図柄の画像データ３０６ｂと、通常時にその特別図柄の背景として表示する通常背景画像の画像データ３０６ｃと、リーチ時にその特別図柄の背景として表示するリーチ背景画像の画像データ３０６ｄ等を含む。特別図柄の各画像データは、図柄番号と対応づけた形で記憶されている。
【００６３】
主制御部２１０と特別図柄制御部３００とは、バス２３０で接続され、主制御部２１０から特別図柄制御部３００への一方向形式でのデータ通信が行われている。このバス２３０は、例えば、８本のデータバスと１６本のアドレスバスとを有している。主制御部２１０は、上述の各種検知スイッチの出力に基づいて遊技状態を判断し、また、その遊技状態に基づいて当否判定を行うとともに、判定内容に応じて対応する図柄表示態様で画像表示制御を行うためのデータを作成し、特別図柄制御部３００へ送信する。
【００６４】
また、主制御部２１０は、第１種始動口（普通電動役物）入賞検知スイッチ５０ｓ、カウント検知スイッチ８６、カウント検知及び特定領域通過検知スイッチ８４等の検知結果や、特別図柄当否判定乱数の取得値などを使用して、遊技が行われていない客待ちの状態、遊技は行われているが始動入賞がない状態（変動準備状態）、始動入賞があった状態、及び、特別遊技状態などが判別される。また、始動入賞が検知されると、乱数値に基づいて当否判定が行われ、その判定結果に基づいて特別図柄の変動又は確定などの表示態様制御のためのデータが作成される。なお、枠飾りランプ基板６ｇ等の各種ランプやサウンドジェネレーター４０２は、主制御部２１０からの指示を受けた枠制御部４００により、特別図柄の変動・停止表示態様、リーチ発生の有無、リーチ表示態様（全回転、コマ送り、逆進、図柄の拡大・縮小など）、特別遊技態様、及び、遊技モード（確率変動、時短など）等に応じてその態様は制御される。
【００６５】
次に、主制御部２１０と特別図柄制御部３００とにより実行される各種ジョブのうち、主要なジョブについて以下に説明する。まず、主制御部２１０により実行されるメインジョブについて図１７を利用して説明する。これは、主制御部２１０のＲＯＭ２１６に格納されたプログラムに基づき、ＣＰＵ２１２により実行されるものである。すなわち、スタックポインタをＲＡＭ２１４の所定のアドレスに設定した後（Ｓ１０）、初期化終了の判定が行われる（Ｓ２０）。初期化が終了していなければ（Ｓ２０：ＮＯ）、初期化ジョブが実行され（Ｓ１９０）、終了していれば（Ｓ２０：ＹＥＳ）、ＬＥＤジョブ（Ｓ３０）からスイッチジョブ（Ｓ７０）までのジョブが実行される。
【００６６】
ＬＥＤジョブ（Ｓ３０）においては、普通図柄及び普通図柄保留数の表示態様データや、特別図柄保留数の表示態様データなどが出力される。等速乱数ジョブ（Ｓ４０）では、ＲＡＭ２１４の特別図柄当否判定乱数メモリや汎用カウントメモリ（図示略）などが更新される。非等速乱数ジョブ（Ｓ５０）では、外れ普通図柄乱数メモリ（図示略）が更新される。なお、汎用カウントメモリ（図示略）は、ユーザリセットごとの「０」〜「２５５」の値の作成や、コマンドジョブ、飾りジョブの実行などに使用される。また、音楽作成ジョブ（Ｓ６０）では、音楽や音声に関するデータの作成が行われ、スイッチジョブ（Ｓ７０）では、各種検知スイッチの読み込みが行われる。すなわち、発射停止検知信号、タッチ検知信号、ヴォリューム検知信号、カウント検知信号、特定領域通過検知信号、普通図柄作動ゲート検知信号、左右入賞口通過検知信号などの各種信号が中継基板５００を介して主制御部２１０に取り込まれ、また、第１種始動口（普通電動役物）入賞検知スイッチ５０ｓから第１種始動口入賞検知信号が、入賞球検知スイッチ１１８から入賞球検知信号がそれぞれ取り込まれる。
【００６７】
さらに、カウント検知スイッチ８６又はカウント検知及び特定領域通過検知スイッチ８４に異常があるか否かが判定され（Ｓ８０）、異常がなければ（Ｓ８０：ＹＥＳ）、特別図柄メインジョブ（Ｓ９０）から音声ジョブ（Ｓ１１０）までのジョブが実行される。また、異常（球詰まりや断線など）があれば（Ｓ８０：ＮＯ）、エラージョブ（Ｓ１３０）が実行される。
【００６８】
特別図柄メインジョブ（Ｓ９０）においては、主制御部２１０と特別図柄制御部３００とが協調して動作するために必要なデータに関するジョブが実行される。このジョブについては後述する。また、普通図柄メインジョブ（Ｓ１００）では、普通図柄及び普通図柄保留数の表示態様データの作成が行われる。音声ジョブ（Ｓ１１０）では、遊技状態に応じた音声のデータが出力される。この後、再び、カウント検知スイッチ８６又はカウント検知及び特定領域通過検知スイッチ８４に異常があるか否かが判定され（Ｓ１２０）、異常がなければ（Ｓ１２０：ＹＥＳ）、各フラグの状態がバックアップメモリにセットされ（Ｓ１４０）、賞球信号ジョブ（Ｓ１５０）、情報信号ジョブ（Ｓ１６０）、コマンドジョブ（Ｓ１７０）、及び、残余時間ジョブ（Ｓ１８０）が実行される。各種スイッチに異常がある場合には（Ｓ１２０：ＮＯ）、エラージョブ（Ｓ１３０）が実行される。
【００６９】
賞球信号ジョブ（Ｓ１５０）においては、賞球払出しに関するデータの作成や出力が行われ、情報信号ジョブ（Ｓ１６０）では、他の制御部への情報出力に必要なデータの作成が行われる。さらに、コマンドジョブ（Ｓ１７０）では、特別図柄管理のためのコマンドの入出力が行われ、残余時間ジョブ（Ｓ１８０）では、非等速乱数の呼出しや、汎用乱数メモリ（図示略）の更新が行われる。
【００７０】
次に、上記メインジョブの一連の流れの中で実行される、始動入賞時の当否判定についての当否判定ジョブと、それに伴う特別図柄の表示態様を決定する特別図柄メインジョブに関して以下に説明する。なお、これらのジョブで使用する各種メモリは、図１５に示すＲＡＭ２１４に格納され、代表的なもの（２１４ａ〜２１４ｉ）を図１９に示す。まず、当否判定ジョブの概略の流れを図１８を利用して説明する。Ｓ２００において始動入賞があったかどうかを確認し、ＹＥＳであれば、Ｓ２１０において特別図柄保留数メモリ２１４ｂに記憶されている保留数Ｎを１インクリメントする。この保留数Ｎが一定値（本実施例では「４」）を超えていれば、その始動入賞は無効となり、Ｓ２５０へスキップする。また、一定値内の保留数であれば、Ｓ２３０において、特別図柄当否判定乱数（以下、判定乱数ともいう）を発生させ（プログラム発生させても、所定の乱数発生回路を用いてもいずれでもよい）、読み込んだ判定乱数値を、Ｓ２４０において、特別図柄当否判定乱数メモリ２１４ａ（以下、判定乱数メモリともいう）に記憶する。このメモリは、読み込んだ判定乱数値を始動入賞の時系列にシフトメモリ形式で記憶している。
【００７１】
次に、Ｓ２５０において、判定乱数メモリ２１４ａから記憶している最も古い先頭の判定乱数値を読み出す。そして、Ｓ２６０において、大当り番号メモリ２１４ｇから大当り番号を読み出し、Ｓ２７０において、上記判定乱数値との比較を行い、両者が一致していれば大当り判定となり、一致していなければ外れ判定となる。大当り判定の場合には、Ｓ２８０に進み、大当り図柄決定乱数を発生させ、これを読み込んでその決定乱数値を大当り図柄決定乱数メモリ２１４ｃに記憶する。また、「大当り」という判定結果（本実施例では「１」）を判定結果メモリ２１４ｉに記憶する。この大当り図柄決定乱数値で指定される特別図柄は、特別図柄画像データ３０６ｂ（図１６参照）に基づいて、液晶表示盤４６（図２参照）に、変動表示状態を経た後、定められた配列態様で表示される（例えば、「７、７、７」の３桁同一図柄の配列態様）。
【００７２】
一方、外れ判定となった場合は、Ｓ２７０からＳ３１０に進み、外れリーチジョブを行うかどうかを乱数により決定する。すなわち、Ｓ３１０において、リーチジョブ決定乱数を発生させ、これを読み込み、他方、Ｓ３２０において、リーチ番号メモリ２１４ｈに記憶されているリーチ番号を読み出す。Ｓ３３０において、両者が一致していれば外れリーチジョブに、一致していなければ通常外れジョブとなる。外れリーチジョブの場合は、Ｓ３４０へ進み、少なくとも揃えるべき２つの特別図柄（例えば、３種類の特別図柄のうち、左図柄と右図柄）を、大当り図柄決定乱数（別途乱数を発生させるようにしてもよい）を使用して決定する（Ｓ３４０、Ｓ３５０）。また、Ｓ３６０において、外れ中図柄を乱数により同様に決定し、Ｓ３７０において、決定した乱数値を外れ中図柄番号メモリ２１４ｆに記憶する。また、Ｓ３８０において、「外れリーチ」という判定結果（本実施例では「２」）を判定結果メモリ２１４ｉに記憶する。一方、通常外れジョブの場合は、Ｓ３９０に進み、各特別図柄（例えば、左図柄、右図柄及び中図柄）をそれぞれ乱数により決定し、決定した各乱数値をそれぞれ対応する外れ番号メモリに記憶する（Ｓ３９０〜Ｓ４４０）。また、Ｓ４５０において、「通常外れ」という判定結果（本実施例では「３」）を判定結果メモリ２１４ｉに記憶する。
【００７３】
次に、特別図柄メインジョブの概略の流れを図２０を利用して説明する。まず、Ｓ５００において、特別図柄表示装置４０における液晶表示盤４６（図２参照）上で各特別図柄の変動表示を開始させる。例えば、左図柄及び右図柄を下から上へ、中図柄を上から下へスクロール変動させる。次いで、Ｓ５１０において、判定結果メモリ２１４ｉから図１８で得られた各入賞に対する判定結果を読み出す。具体的には、大当り判定（「１」）の場合は（Ｓ５２０：ＹＥＳ）、Ｓ６００に進み、大当り番号を大当り番号メモリ２１４ｇから読み出し、液晶表示盤４６上で大当りのリーチアクションを表示するリーチジョブＳ６０１を経て、図柄確定ジョブＳ６０２で各特別図柄を、例えば、左図柄、右図柄、中図柄を同一図柄に揃えて停止表示させ確定させる。一方、外れリーチ判定（「２」）の場合は（Ｓ５３０：ＹＥＳ）、Ｓ５９０に進み、大当り図柄番号（少なくとも揃えるべき２つの特別図柄、例えば、左図柄番号と右図柄番号）と、外れ中図柄番号とを各メモリ２１４ｃ、２１４ｆから読み出し、液晶表示盤４６上で外れリーチのリーチアクションを表示するリーチジョブＳ５９１であって、各特別図柄を、例えば、左図柄及び右図柄は同一図柄に揃えつつ、図柄確定ジョブＳ５９２で最終的に同一図柄の左図柄及び右図柄とともに、中図柄を他の図柄とは異なる図柄で停止表示させ確定させる。また、通常外れ判定（「３」）の場合は（Ｓ５４０：ＹＥＳ）、Ｓ５５０に進み、外れ各図柄番号を外れ番号メモリ２１４ｄ、２１４ｅ、２１４ｆからそれぞれ読み出し、Ｓ５６０〜Ｓ５８０に進んで、各特別図柄を（例えば、左図柄、右図柄及び中図柄）それぞれ異なる図柄で、相互にずれたタイミングで停止表示させ確定させる。
【００７４】
以上、本発明の実施の形態を説明したが、本発明はこれに限定されるものではなく、また、各請求項に記載した範囲を逸脱しない限り、各請求項の記載文言に限定されず、当業者がそれらから容易に置き換えられる範囲にも及び、かつ、当業者の通常有する知識に基づく改良を適宜付加することができる。また、本発明は、第１種のパチンコ機以外にも、いわゆる権利物、羽根物、アレンジボールと呼ばれている機種、一般電役などの種々の弾球遊技機への適用も可能である。
【図面の簡単な説明】
【００７５】
【図１】本発明の一実施例のパチンコ機を示す正面図である。
【図２】同遊技盤を示す正面図である。
【図３】同遊技盤に取り付けられる各役物の基板の配置を示す説明図である。
【図４】同遊技盤裏面の遊技球経路とスイッチ取付配置を示す説明図である。
【図５】同パチンコ機を示す背面図である。
【図６】同遊技盤に配設される変動入賞装置を示す斜視図である。
【図７】同変動入賞装置を示す正面図である。
【図８】同変動入賞装置を示す背面図である。
【図９】図７のＸ−Ｘ線断面図である。
【図１０】図７のＹ−Ｙ線断面図である。
【図１１】図９のＺ−Ｚ線で切断した同変動入賞装置の大入賞装置の要部を示す説明図である。
【図１２】図９のＺ−Ｚ線で切断した同変動入賞装置の大入賞装置の要部を示す説明図である。
【図１３】図９のＺ−Ｚ線で切断した同変動入賞装置の大入賞装置の要部を示す説明図である。
【図１４】図９のＺ−Ｚ線で切断した同変動入賞装置の大入賞装置の要部を示す説明図である。
【図１５】同パチンコ機の電子制御装置を示すブロック図である。
【図１６】特別図柄制御部の主要構成を示すブロック図である。
【図１７】図１５の電子制御装置におけるジョブの流れを示すフローチャートである。
【図１８】当否判定ジョブの流れを示すフローチャートである。
【図１９】図１６の特別図柄制御部の主要メモリを示す説明図である。
【図２０】特別図柄メインジョブの流れを示すフローチャートである。
【図２１】同変動入賞装置の他の大入賞装置の可動ガイド部材の作動機構の要部を示す説明図である。
【図２２】図９のＺ−Ｚ線で切断した同変動入賞装置の他の大入賞装置の要部を示す説明図である。
【符号の説明】
【００７６】
６０  変動入賞装置
７０、７０’  大入賞装置
７５  凹室
８０  特定領域
８２  特定領域外領域
９０、９０’  固定ガイド部材
９２、９２’  可動ガイド部材
Ａ  パチンコ機
【図１】
2004337635.tif 000003
【図２】
2004337635.tif 000004
【図３】
2004337635.tif 000005
【図４】
2004337635.tif 000006
【図５】
2004337635.tif 000007
【図６】
2004337635.tif 000008
【図７】
2004337635.tif 000009
【図８】
2004337635.tif 000010
【図９】
2004337635.tif 000011
【図１０】
2004337635.tif 000012
【図１１】
2004337635.tif 000013
【図１２】
2004337635.tif 000014
【図１３】
2004337635.tif 000015
【図１４】
2004337635.tif 000016
【図１５】
2004337635.tif 000017
【図１６】
2004337635.tif 000018
【図１７】
2004337635.tif 000019
【図１８】
2004337635.tif 000020
【図１９】
2004337635.tif 000021
【図２０】
2004337635.tif 000022
【図２１】
2004337635.tif 000023
【図２２】
2004337635.tif 000024